(57)【要約】【課題】配線収容什器を安定した状態に設置することができる。【解決手段】床面（設置面）１１の上に他の什器と隣接して設置可能な配線収容什器１において、左右方向（第１方向）に延びて内部に収容空間Ｓ１が形成されたカバー部２と、収容空間Ｓ１における前後方向（第２方向）の後側（一方側）に配置され、配線ケーブルを収容可能な配線収容部Ｓ２を形成する配線収容部材３と、配線収容部材３に固定され床面１１の上に設定される支持脚４と、を有し、支持脚４は、配線収容部材３に前後方向の前側（他方側）から固定される固定部４１と、床面１１に当接して設置され固定部４１から配線収容部Ｓ２よりも前後方向の後側に突出する位置まで延びる床面当接部（設置面当接部）４２と、を有する。【選択図】図５
2019076216.tif 000002
【特許請求の範囲】
【請求項１】
設置面の上に他の什器と隣接して設置可能な配線収容什器において、
第１方向に延びて内部に収容空間が形成されたカバー部と、
前記収容空間における前記第１方向に交差する第２方向の一方側に配置され、配線ケーブルを収容可能な配線収容部を形成する配線収容部材と、
前記配線収容部材に固定され前記設置面の上に設定される支持脚と、を有し、
前記支持脚は、前記配線収容部材に前記第２方向の他方側から固定される固定部と、
前記設置面に当接して設置され前記固定部から前記配線収容部よりも前記第２方向の一方側に突出する位置まで延びる設置面当接部と、を有することを特徴とする配線収容什器。
【請求項２】
前記配線収容部の下側には、前記設置面との間に前記設置面当接部を挿通可能な隙間が形成されるように構成されている請求項１に記載の配線収容什器。
【請求項３】
前記設置面当接部は、前記カバー部よりも前記第２方向の一方側に突出している請求項１又は２に記載の配線収容什器。
【請求項４】
前記配線収容部材は、前記固定部を着脱可能な支持脚取付部を有し、
前記支持脚取付部は、前記第１方向に間隔をあけて複数形成されている請求項１乃至３のいずれか一項に記載の配線収容什器。
【請求項５】
前記支持脚は、前記設置面当接部が前記固定部から前記第２方向の他方側に延びるように向きを変えた状態で前記配線収容部材に固定可能に構成されている請求項１乃至４のいずれか一項に記載の配線収容什器。
【請求項６】
前記カバー部は、前記収容空間における前記第２方向の一方側を覆う第１カバー部と、前記収容空間における前記第２方向の他方側を覆う第２カバー部と、を有し、
前記第２カバー部は、前記収容空間に着脱可能に構成され、
前記第２カバー部が前記収容空間から取り外されると、前記配線収容部材が露出する請求項１乃至５のいずれか一項に記載の配線収容什器。
【請求項７】
前記収容空間における前記第２方向の他方側には、前記他の什器の脚部を配置可能な他什器配置部が形成されている請求項１乃至６のいずれか一項に記載の配線収容什器。
【発明の詳細な説明】
【技術分野】
【０００１】
本発明は、内部に配線ケーブルを収容する配線収容部を有し、床面などの設置面に棚や机などの他の什器と隣接して設置可能な配線収容什器に関する。
【背景技術】
【０００２】
内部に配線ケーブルを収容する配線収容部を有する配線収容什器として、床面などの設置面に机や間仕切りパネルなどの他の什器と隣接して設置されるものが知られている（例えば、特許文献１参照）。このような配線収容什器は、隣接する他の什器との一体感が増して意匠性を向上させることができるとともに、限られたスペースであっても他の什器とともに効率よく配置することができる。
【先行技術文献】
【特許文献】
【０００３】
【特許文献１】特開２００４−１６２２７１号公報
【発明の概要】
【発明が解決しようとする課題】
【０００４】
配線ケーブルが収容された状態の配線収容部は、配線収容什器の中で重量があり重い部分となる。このため、例えば、他の什器の脚部が配線収容什器の内部に配置されるなどして、配線収容部が配線収容什器の片側に寄った位置に設置されると、重心が偏って配線収容什器の安定性が低下する虞がある。
【０００５】
そこで、本発明は、安定した状態に設置することができる配線収容什器を提供することを目的とする。
【課題を解決するための手段】
【０００６】
上記目的を達成するため、本発明に係る配線収容什器は、設置面の上に他の什器と隣接して設置可能な配線収容什器において、第１方向に延びて内部に収容空間が形成されたカバー部と、前記収容空間における前記第１方向に交差する第２方向の一方側に配置され、配線ケーブルを収容可能な配線収容部を形成する配線収容部材と、前記配線収容部材に固定され前記設置面の上に設定される支持脚と、を有し、前記支持脚は、前記配線収容部材に前記第２方向の他方側から固定される固定部と、前記設置面に当接して設置され前記固定部から前記配線収容部よりも前記第２方向の一方側に突出する位置まで延びる設置面当接部と、を有することを特徴とする。
【０００７】
本発明では、配線収容部がカバー部の内部における第２方向の一方側に配置されている。これにより、配線収容部に配線ケーブルが収容された状態の配線収容什器は、その重心が第２方向の一方側に偏った状態となるため、第２方向の一方側に転倒する虞がある。
これに対し、本発明による配線収容什器では、支持脚の固定部が配線収容部材に第２方向の他方側から固定され、設置面当接部が固定部から配線収容部よりも第２方向の一方側に突出する位置まで延びている。このため、配線収容什器が第２方向の一方側に転倒しそうになっても、支持脚が突っ張った状態となって、第２方向の一方側への転倒を防止することができる。
その結果、配線収容什器を安定した状態に設置することができる。
【０００８】
また、本発明に係る配線収容什器では、前記配線収容部の下側には、前記設置面との間に前記設置面当接部を挿通可能な隙間が形成されるように構成されていてもよい。
このような構成とすることにより、配線収容部と設置面との間に設置面当接部を容易に設置することができるため、施工性を向上させることができる。
【０００９】
また、本発明に係る配線収容什器では、前記設置面当接部は、前記カバー部よりも前記第２方向の一方側に突出していてもよい。
このような構成とすることにより、配線収容什器を第２方向の一方側により転倒しにくい構造とすることができる。
【００１０】
また、本発明に係る配線収容什器では、前記配線収容部材は、前記固定部を着脱可能な支持脚取付部を有し、前記支持脚取付部は、前記第１方向に間隔をあけて複数形成されていてもよい。
このような構成とすることにより、支持脚を配線収容部材における第１方向の所望の位置に固定することができる。
【００１１】
また、本発明に係る配線収容什器では、前記支持脚は、前記設置面当接部が前記固定部から前記第２方向の他方側に延びるように向きを変えた状態で前記配線収容部材に固定可能に構成されていてもよい。
このような構成とすることにより、配線収容部に収容される配線ケーブルの重量が軽かったり、配線収容什器が他の什器や壁部に支えられていたりして配線収容什器が第２方向の一方側に転倒する虞がない場合などに、レイアウトなどに応じて支持脚の向きを所望の向きとすることができる。
【００１２】
また、本発明に係る配線収容什器では、前記カバー部は、前記収容空間における前記第２方向の一方側を覆う第１カバー部と、前記収容空間における前記第２方向の他方側を覆う第２カバー部と、を有し、前記第２カバー部は、前記収容空間に着脱可能に構成され、前記第２カバー部が前記収容空間から取り外されると、前記配線収容部材が露出するように構成されていてもよい。
このような構成とすることにより、配線収容部材への支持脚を着脱する際に、第２カバー部を取りして配線収容部材を露出させれば、配線収容部材への支持脚の着脱を容易に行うことができる。
【００１３】
また、本発明に係る配線収容什器では、前記収容空間における前記第２方向の他方側には、前記他の什器の脚部を配置可能な他什器配置部が形成されていてもよい。
このような構成とすることにより、配線収容什器と、隣接する他の什器との一体感が増して意匠性を向上させることができるとともに、限られたスペースであっても他の什器とともに配線収容什器を効率よく配置することができる。
【発明の効果】
【００１４】
本発明によれば、配線収容什器を安定した状態に設置することができる。
【図面の簡単な説明】
【００１５】
【図１】本発明の実施形態による配線収容什器の一例を示す斜視図である。
【図２】本発明の実施形態による配線収容什器の一例を示す分解斜視図である。
【図３】本発明の実施形態による配線収容什器の一例を示す側面図である。
【図４】間仕切りパネルが取り付けられた配線収容什器を示す斜視図である。
【図５】第１端部部材および前側カバーを外した状態の配線収容什器の側面図である。
【図６】本発明の実施形態による配線収容什器の一例を示す分解斜視図で支持脚を省略した図である。
【図７】支持脚と連結部材および配線収容部材との固定構造を説明する斜視図である。
【図８】前側カバーを外した状態の配線収容什器の正面図である。
【図９】前側カバーを外した状態の配線収容什器の上面図である。
【図１０】支持脚の向きを変えた配線収容什器の第１端部部材を外した状態の側面図である。
【図１１】パネル固定部材と間仕切りパネルの脚部を説明する図で、後側カバーを省略した図である。
【図１２】（ａ）は連結部材に取り付けられるパネル固定部材の斜視図、（ｂ）は配線収容部材に取り付けられるパネル固定部材の斜視図である。
【図１３】連結部材および配線収容部材にパネル固定部材が取り付けられた様子を示す斜視図である。
【発明を実施するための形態】
【００１６】
以下、本発明の実施形態による配線収容什器について、図１乃至図１３に基づいて説明する。
図１および図２に示すように、本実施形態による配線収容什器１は、長尺形状のカバー部２と、カバー部２の長さ方向の一方の端部に配置される第１端部部材２３と、カバー部２の長さ方向の他方の端部に配置される第２端部部材２４と、第１端部部材２３と第２端部部材２４とを連結する連結部材２５と、カバー部２の内部に配置され配線ケーブル（不図示）を収容可能な配線収容部材３と、配線収容部材３に固定され床面１１（設置面）の上に設定される支持脚４と、を有している。
配線収容什器１は、カバー部２が水平方向に延びる姿勢で、床面１１の上に他の什器１２と隣接して設置されている。
カバー部２が延びる水平方向を左右方向（第１方向）とし、左右方向に直交する水平方向を前後方向（第２方向）とする。前後方向の一方側を前側とし、他方側を後側とする。図１は後方から見た斜視図となっていて、図２は前方から見た斜視図となっている。
【００１７】
カバー部２の内部には、左右方向に延びる収容空間Ｓ１が形成されている。収容空間Ｓ１における後部側には、配線ケーブルを収容可能な配線収容部Ｓ２形成され、前部側には、配線収容什器１に隣接して配置される他の什器１２の脚部１２１（図１参照）を配置可能な他什器配置部Ｓ３が形成されている。
【００１８】
カバー部２は、前後方向の後側に配置される後側カバー部（第１カバー部）２１と、前後方向の前側に配置される前側カバー部（第２カバー部）２２と、を有している。
前側カバー部２２、後側カバー部２１、第１端部部材２３および第２端部部材２４に囲まれた空間が収容空間Ｓ１となっている。
【００１９】
第１端部部材２３と第２端部部材２４とは、左右方向に対称に形成されている。第１端部部材２３および第２端部部材２４は、それぞれ端部枠部２３１と、端部枠部２３１に接合された端部板部２３２と、端部枠部２３１に取り付けられて床面１１と当接する端部脚部２３３と、を有している。
【００２０】
端部枠部２３１は、四方枠状に形成され、四方枠の内側の開口が左右方向に貫通する向きに配置されている。
端部板部２３２は、板面が長方形となる平板状に形成され、板面が左右方向を向く向きで端部枠部２３１に固定されている。端部板部２３２の上端部、下端部、前端部および後端部は、それぞれ端部枠部２３１の上端部、下端部、前端部および後端部と重なっている。端部板部２３２には、後部側で上下方向の中間部に端部貫通孔２３２ａが形成されている。端部貫通孔２３２ａは、配線収容什器１が左右方向に複数配列された際に、隣り合う配線収容什器１，１それぞれの配線収容空間Ｓ２を連通させて配線ケーブルを渡すために設けられている。
【００２１】
端部脚部２３３は、端部枠部２３１の下端部における前端部近傍および後端部近傍の両方に端部枠部２３１から下側に突出するように取り付けられている。端部脚部２３３は、アジャスタ機能を有しており、第１端部部材２３および第２端部部材２４の高さや前後の傾きを調整可能に構成されている。
第１端部部材２３および第２端部部材２４には、それぞれの外側を覆う化粧パネル（不図示）が着脱可能に構成されている。
【００２２】
後側カバー部２１は、長尺に形成され、左右方向に延びる向きで第１端部部材２３および第２端部部材２４に着脱可能に構成されている。後側カバー部２１は、左右方向の一方の端部が第１端部部材２３に係止され、左右方向の他方の端部が第２端部部材２４に係止されることで第１端部部材２３および第２端部部材２４に固定されるように構成されている。
【００２３】
図１乃至図３に示すように、後側カバー部２１は、収容空間Ｓ１、第１端部部材２３および第２端部部材２４の後側に配置される後カバー板部２１１と、収容空間Ｓ１、第１端部部材２３および第２端部部材２４の上側における後側の部分に配置される後上カバー板部２１２と、後カバー板部２１１の左右方向の両縁部それぞれに接続された第１端板部２１３と、後カバー板部２１１の下縁部に接続された第２端板部２１４と、後上カバー板部２１２の左右方向の両縁部それぞれに接続された第３端板部２１５と、後上カバー板部２１２の前縁部に接続された第４端板部２１６と、を有している。
【００２４】
後カバー板部２１１は、平板状に形成され板面が前後方向を向く鉛直面となる向きで第１端部部材２３から第２端部部材２４との間にわたすように設けられている。
後上カバー板部２１２は、後カバー板部２１１の上縁部２１１ａ全体から前側に延びる平板状に形成され板面が水平面となる向きで第１端部部材２３から第２端部部材２４との間にわたすように設けられている。
図１および図３に示すように、第１端板部２１３は、後カバー板部２１１の左右方向の縁部２１１ｂから前側に延びている。
第２端板部２１４は、後カバー板部２１１の下縁部２１１ｃから前側に延びている。
第３端板部２１５は、後上カバー板部２１２の左右方向の縁部２１２ａから下側に延びている。
第４端板部２１６は、後上カバー板部２１２の前縁部２１２ｂから下側に延びている。
【００２５】
図３に示すように、後側カバー部２１は、第１端部部材２３および第２端部部材２４に取り付けられると、第１端板部２１３および第２端板部２１４が第１端部部材２３および第２端部部材２４の後端部２３ａ，２４ａと当接し、第４端板部２１６が第１端部部材２３および第２端部部材２４の上端部２３ｂ，２４ｂと当接する。第３端板部２１５は、第１端部部材２３および第２端部部材２４の上端部２３ｂ，２４ｂとわずかな隙間をあけて近接している。
【００２６】
このため、後カバー板部２１１は、第１端部部材２３および第２端部部材２４の後端部２３ａ，２４ａよりも間隔をあけた後側に配置され、後上カバー板部２１２は、第１端部部材２３および第２端部部材２４の上端部２３ｂ，２４ｂよりも間隔をあけた上側に配置されている。
後カバー板部２１１の下縁部２１１ｃは、第１端部部材２３および第２端部部材２４の下端部よりも上側に配置されている。配線収容什器１が床面１１に設置されると、後カバー板部２１１の下縁部２１１ｃは、床面１１より上側に配置され、後カバー板部２１１と床面１１との間に隙間が形成される。
【００２７】
後上カバー板部２１２の前縁部２１２ｂ（第４端板部２１６）は、第１端部部材２３および第２端部部材２４の前後方向の中央よりも後側となる位置に配置されている。
図１および図２に示すように、後上カバー板部２１２の後縁部２１２ｃの近傍における左右方向の両端部それぞれの近傍には、上下方向に貫通する第１開口部２１７が形成されていて、この第１開口部２１７を開閉可能な第１蓋部材２１７ａが着脱可能に取り付けられている。
【００２８】
図４に示すように、本実施形態の配線収容什器１は、配線収容什器１の前後を仕切る間仕切りパネル１４を取り付け可能に構成されている。間仕切りパネル１４は、板状のパネル本体１４１と、パネル本体１４１の下端部から下側に延びる脚部１４２を有している。第１開口部２１７は、間仕切りパネル１４の脚部１４２を上側から挿し込み可能に構成されている。
【００２９】
図１乃至図３に示すように、前側カバー部２２は、長尺に形成され、左右方向に延びる向きで第１端部部材２３および第２端部部材２４に着脱可能に構成されている。前側カバー部２２は、左右方向の一方の端部が第１端部部材２３に係止され、他方の端部が第２端部部材２４に係止されることで、第１端部部材２３および第２端部部材２４に固定されるように構成されている。
【００３０】
前側カバー部２２は、収容空間Ｓ１、第１端部部材２３および第２端部部材２４の前側に配置される前カバー板部２２１と、収容空間Ｓ１、第１端部部材２３および第２端部部材２４の上側における前側の部分に配置される前上カバー板部２２２と、前カバー板部２２１の左右方向の両縁部それぞれに接続された第５端板部２２３と、前上カバー板部２２２の左右方向の両縁部それぞれに接続された第６端板部２２４と、前上カバー板部２２２の後縁部に接続された第７端板部２２５と、を有している。
【００３１】
前カバー板部２２１は、平板状に形成され板面が前後方向を向く鉛直面となる向きで第１端部部材２３から第２端部部材２４との間にわたすように設けられている。
前上カバー板部２２２は、前カバー板部２２１の上縁部２２１ａ全体から後側に延びる平板状に形成され板面が水平面となる向きで第１端部部材２３から第２端部部材２４との間にわたすように設けられている。
第５端板部２２３は、前カバー板部２２１の左右方向の縁部２２１ｂから後側に延びている。
第６端板部２２４は、前上カバー板部２２２の左右方向の縁部２２２ａから下側に延びている。
第７端板部２２５は、前上カバー板部２２２の後縁部２２２ｂから下側に延びている。
【００３２】
図３に示すように、前側カバー部２２は、第１端部部材２３および第２端部部材２４に取り付けられると、第５端板部２２３が第１端部部材２３および第２端部部材２４の前端部２３ｃ，２４ｃと当接し、第６端板部２２４および第７端板部２２５が第１端部部材２３および第１端部部材２３および第２端部部材２４の上端部２３ｂ，２４ｂとわずかな隙間をあけて近接している。
このため、前カバー板部２２１は、第１端部部材２３および第２端部部材２４の前端部２３ｃ，２４ｃよりも間隔をあけた前側に配置され、前上カバー板部２２２は、第１端部部材２３および第２端部部材２４の上端部２３ｂ，２４ｂよりも間隔をあけた上側に配置されている。
【００３３】
前カバー板部２２１の下縁部２２１ｃは、第１端部部材２３および第２端部部材２４の下端部よりも上側に配置されている。配線収容什器１が床面１１に設置されると、前カバー板部２２１の下縁部２２１ｃは、床面１１よりも上側に配置され、前カバー板部２２１と床面１１との間に隙間が形成される。
【００３４】
前上カバー板部２２２の後縁部２２２ｂ（第７端板部２２５）は、第１端部部材２３および第２端部部材２４の前後方向の略中央となる位置に配置されている。このため、前上カバー板部２２２の後縁部２２２ｂ（第７端板部２２５）と、後側カバー部２１の後上カバー板部２１２の前縁部２１２ｂ（第４端板部２１６）とは前後方向に離間していて、後側カバー部２１と前側カバー部２２との間に隙間２６が形成されている。
【００３５】
図１および図２に示すように、前上カバー板部２２２には、上下方向に貫通する第２開口部２２７が左右方向に間隔をあけて２つ形成されていて、この第２開口部２２７を開閉可能な第２蓋部材２２７ａが着脱可能に取り付けられている。第２開口部２２７は、前上カバー板部２２２の後縁部２２２ｂに達していて、前上カバー板部２２２の後側に開口している。
【００３６】
図１に示すように、実施形態の配線収容什器１は、隣接して配置される他の什器１２の脚部１２１を、後側カバー部２１と前側カバー部２２との隙間２６や第２開口部２２７に挿通させて床面１１に載置できるように構成されている。なお、後側カバー部２１と前側カバー部２２との隙間２６や、第２開口部２２７に配線ケーブルを挿通させてもよい。
【００３７】
図２に示すように、連結部材２５は、第１端部部材２３と第２端部部材２４とをそれぞれの上部側における後部側において連結していて、収容空間Ｓ１の上部側における後部側に配置されている。
図２、図５および図６に示すように、連結部材２５は、左右方向に延びる連結部材本体２５１と、連結部材本体２５１から前側に突出する複数の突出片２５２と、を有している。
図５および図６に示すように、連結部材本体２５１は、第１前板部２５３と、第１後板部２５４と、第１底板部２５５と、第１折り返し板部２５６と、第１連結板部２５７と、を有している。
【００３８】
第１前板部２５３は、平板状に形成され、板面が前後方向を向く鉛直面となる向きに配置されている。
第１前板部２５３には、左右方向に等間隔をあけて複数の上側接続孔２５８が形成されている。複数の上側接続孔２５８は、第１前板部２５３の上下方向の中間部に同じ高さに形成されている。
複数の上側接続孔２５８は、それぞれ丸孔に形成されている。複数の上側接続孔２５８は、それぞれ支持脚４や隣接する他の什器１３の脚部１３１などを連結部材２５に固定するネジなどの固定具を挿通可能に構成されている。
【００３９】
第１前板部２５３には、左右方向に等間隔をあけて複数のナット取付孔２５９が形成されている。複数のナット取付孔２５９は、第１前板部２５３の上下方向の中間部に同じ高さに形成されている。複数のナット取付孔２５９は、複数の上側接続孔２５８の上側に間隔をあけて形成されている。
複数のナット取付孔２５９は、それぞれ長角孔（長方形状の孔）に形成されている。複数のナット取付孔２５９は、それぞれ配線収容什器１に隣接して配置される他の什器１２の脚部１２１（図１参照）などを連結部材２５に固定するナット（不図示）などを取り付け可能に構成されている。
【００４０】
図２に示すように、第１後板部２５４は、平板状に形成され、板面が前後方向を向く鉛直面となる向きに配置されている。第１後板部２５４は、第１前板部２５３よりも高さ寸法が小さく設定されている。第１後板部２５４は、第１前板部２５３の間隔をあけた後側に配置されている。第１前板部２５３および第１後板部２５４は、それぞれの下縁部２５３ａ，２５４ａが同じ高さに配置されている。第１前板部２５３の上縁部２５３ｂは、第１後板部２５４の上縁部２５４ｂよりも上方に配置されている。
【００４１】
第１底板部２５５は、平板状に形成され、板面が水平面となる向きに配置されている。第１底板部２５５は、前縁部２５５ａが第１前板部２５３の下縁部２５３ａと接続され、後縁部２５５ｂが第１後板部２５４の下縁部２５４ａと接続されている。第１前板部２５３、第１後板部２５４および第１底板部２５５は、上方に開口する略コの字形（Ｃ字形）を形成している。
第１折り返し板部２５６は、第１後板部２５４の上縁部２５４ｂから前側に延びてさらに下側に延びる板状に形成され、断面形状がＬ字形となっている。第１折り返し板部２５６の前縁部２５６ａは、第１前板部２５３と前後方向に離間し、第１折り返し板部２５６の下縁部は、第１底板部２５５と上下方向に離間している。
【００４２】
第１連結板部２５７は、連結部材本体２５１の左右方向の両端部それぞれに設けられている。第１連結板部２５７は、平板状に形成され板面が左右方向を向く鉛直面となる向きに配置されている。第１連結板部２５７は、第１前板部２５３、第１後板部２５４および第１底板部２５５の左右方向の端部と接合されている。
【００４３】
図６に示すように、連結部材本体２５１には、後縁部の近傍における左右方向の両端部それぞれの近傍に、上下方向に貫通し後側に開口する上側切欠き部２５１ａが形成されている。
上側切欠き部２５１ａは、第１後板部２５４、第１底板部２５５および第１折り返し板部２５６を切り欠くようにして形成されている。上側切欠き部２５１ａは、上下方向から見た形状が長方形となっている。
上側切欠き部２５１ａは、内部に間仕切りパネル１４の脚部１４２（図４参照）を配置可能に構成されている。連結部材本体２５１は、間仕切りパネル１４の脚部１４２を固定可能なパネル固定部材５（図１１参照）を取り付け可能に構成されている。本実施形態では、パネル固定部材５はネジなどの固定具５４（図１２参照）で連結部材本体２５１に固定されるように構成されている。連結部材本体２５１の第１底板部２５５には、上側切欠き部２５１ａの左右方向の両側それぞれに固定具５４を挿通可能な孔部２５５ｃが形成されている。
パネル固定部材５、および間仕切りパネル１４の配線収容什器１への固定構造については後述する。
【００４４】
複数の突出片２５２は、左右方向に間隔をあけて配列されており、それぞれ連結部材本体２５１の第１前板部２５３の上縁部２５３ｂから前側に突出している。複数の突出片２５２は、それぞれ同じ平板状に形成され、板面が水平面となる向きに配置されている。突出片２５２の前端部には、上側に折り曲げられた折り曲げ部２５２ａが形成されている。
複数の突出片２５２は、それぞれ第１前板部２５３に形成された上側接続孔２５８およびナット取付孔２５９と上下方向に重ならない位置に配置されていて、左右方向に隣り合う突出片２５２の間の空部の下側に上側接続孔２５８およびナット取付孔２５９が配置されている。
【００４５】
連結部材２５は、左右方向の一方側の端部に設けられた第１連結板部２５７が第１端部部材２３に当接した状態でネジなどで固定され、連結部材２５の左右方向の他方側の端部に設けられた第１連結板部２５７が第２端部部材２４に当接した状態でネジなどで固定されている。連結部材２５は、第１端部部材２３および第２端部部材２４に固定されることで、第１端部部材２３と第２端部部材２４とを連結している。
【００４６】
連結部材２５は、第１端部部材２３および第２端部部材２４に固定されると、突出片２５２が第１端部部材２３および第２端部部材２４の上端部２３ｂ，２４ｂと略同じ高さで、第１後板部２５４が第１端部部材２３および第２端部部材２４の後端部２３ａ，２４ａと前後方向に略同じ位置となるように配置されている。上述しているが、後側カバー部２１の後カバー板部２１１は、第１端部部材２３および第２端部部材２４の後端部２３ａ，２４ａと離間しているため、連結部材２５の第１後板部２５４とも離間している。このため、後カバー板部２１１と第１後板部２５４との間には、隙間２７（図５参照）が形成されている。
複数の突出片２５２それぞれの折り曲げ部２５２ａは、第１端部部材２３および第２端部部材２４の前後方向の略中央に配置されている。
【００４７】
連結部材２５で連結された第１端部部材２３および第２端部部材２４に、後側カバー部２１および前側カバー部２２が取り付けられると、複数の突出片２５２および左右方向に隣り合う突出片２５２の間の空部は、後側カバー部２１と前側カバー部２２との隙間２６の下側に配置されている。このため、隣り合う突出片２５２の間の空部および後側カバー部２１と前側カバー部２２との隙間２６を介して配線収容什器１の内部の収容空間Ｓ１と外部とが連通している。
また、上側切欠き部２５１ａは、後側カバー部２１の第１開口部２１７の直下となる位置に配置される。
【００４８】
図２に示すように、配線収容部材３は、第１端部部材２３と第２端部部材２４とをそれぞれの下部側における後部側において連結していて、収容空間Ｓ１の下部側における後部側に配置されている。配線収容部材３は、連結部材２５の下側に間隔をあけて配置されている。
図５および図６に示すように、配線収容部材３は、第２前板部３１と、第２後板部３２と、第２底板部３３と、第２折り返し板部３４と、第２連結板部３５と、を有している。
【００４９】
第２前板部３１は、平板状に形成され、板面が前後方向を向く鉛直面となる向きに配置されている。図２に示すように、第２前板部３１には、左右方向に等間隔をあけて複数の下側接続孔３６が形成されている。下側接続孔３６は、第２前板部３１の上下方向の中間部に同じ高さに形成されている。
複数の下側接続孔３６は、それぞれ丸孔に形成されている。複数の下側接続孔３６は、それぞれ支持脚４や隣接する他の什器１３の脚部１３１などを配線収容部材３に固定するネジなどの固定具を挿通可能に構成されている。下側接続孔３６は、本発明の支持脚取付部に相当している。
【００５０】
図５および図６に示すように、第２後板部３２は、平板状に形成され、板面が前後方向を向く鉛直面となる向きに配置されている。第２後板部３２は、第２前板部３１よりも高さ寸法が小さく設定されている。第２後板部３２は、第２前板部３１の間隔をあけた後側に配置されている。第２前板部３１および第２後板部３２は、それぞれの下縁部３１ａ，３２ａが同じ高さに配置されている。第２前板部３１の上縁部３１ｂは、第２後板部３２の上縁部３２ｂよりも上方に配置されている。
【００５１】
第２底板部３３は、平板状に形成され、板面が水平面となる向きに配置されている。第２底板部３３は、前縁部３３ａが第２前板部３１の下縁部３１ａと接続され、後縁部３３ｂが第２後板部３２の下縁部３２ａと接続されている。
第２折り返し板部３４は、第２前板部３１の上縁部から後側に延びてさらに下側に延び、さらに前側に延びる板状に形成され、断面形状がコの字形（Ｃ字形）となっている。第２折り返し板部３４の後端部３４ａは、第２後板部３２と前後方向に離間し、第２折り返し板部３４の下端部３４ｂは第２底板部３３と上下方向に離間している。
【００５２】
第２連結板部３５は、配線収容部材３の左右方向の両端部それぞれに設けられている。第２連結板部３５は、平板状に形成され板面が左右方向を向く鉛直面となる向きに配置されている。第２連結板部３５は、第２前板部３１、第２後板部３２および第２底板部３３の左右方向の端部と接合されている。
【００５３】
図６に示すように、配線収容部材３には、後端部の近傍における左右方向の両端部それぞれの近傍に、上下方向に貫通し後側に開口する下側切欠き部３ａが形成されている。
下側切欠き部３ａは、第２後板部３２および第２底板部３３を切り欠くようにして形成されている。下側切欠き部３ａは、上下方向から見た形状が長方形となっている。
下側切欠き部３ａは、内部に間仕切りパネル１４の脚部１４２(図４参照)を配置可能に構成されている。配線収容部材３は、間仕切りパネル１４の脚部１４２を固定可能なパネル固定部材５（図１１参照）を取り付け可能に構成されている。本実施形態では、パネル固定部材５はネジなどの固定具５４（図１２参照）で配線収容部材３に固定されるように構成されている。配線収容部材３の第２底板部３３には、下側切欠き部３ａの左右方向の両側それぞれに固定具５４を挿通可能な孔部３３ｃが形成されている。
パネル固定部材５、および間仕切りパネル１４の配線収容什器１への固定構造については後述する。
【００５４】
配線収容部材３は、左右方向の一方側の端部に設けられた第２連結板部３５が第１端部部材２３に当接した状態でネジなどで固定され、連結部材２５の左右方向の他方側の端部に設けられた第２連結板部３５が第２端部部材２４に当接した状態でネジなどで固定されている。配線収容部材３は、第１端部部材２３および第２端部部材２４に固定されることで、第１端部部材２３と第２端部部材２４とを連結している。
【００５５】
図５に示すように、配線収容部材３は、第１端部部材２３および第２端部部材２４に固定されると、第２底板部３３が第１端部部材２３および第２端部部材２４の下端部よりもやや上側となる高さで、第２後板部３２が第１端部部材２３および第２端部部材２４の後端部２３ａ，２４ａと前後方向に略同じ位置となるように配置されている。上述しているが、後側カバー部２１の後カバー板部２１１は、第１端部部材２３および第２端部部材２４の後端部２３ａ，２４ａと離間しているため、配線収容部材３の第２後板部３２とも離間している。このため、後カバー板部２１１と第２後板部３２との間には、隙間２８が形成されている。
【００５６】
配線収容部材３の第２後板部３２は、連結部材２５の第１後板部２５４の鉛直方向の下側に配置されている。配線収容部材３の第２前板部３１は、連結部材２５の第１前板部２５３の鉛直方向の下側に配置されている。
配線収容部材３の第２底板部３３は、第１端部部材２３および第２端部部材２４の下端部よりも上側に配置されている。配線収容什器１が床面１１に設置されると、配線収容部材３の第２底板部３３は、床面１１よりも上側に配置される。
図２に示すように、配線収容部材３の複数の下側接続孔３６は、それぞれ連結部材２５の複数の上側接続孔２５８の鉛直方向の下側に配置される。
図６に示すように、配線収容部材３の２つの下側切欠き部３ａは、それぞれ連結部材２５の上側切欠き部２５ａの鉛直方向の下側に配置される。
【００５７】
図５に示すように、配線収容部材３の第２前板部３１、第２後板部３２および第２底板部３３は、上方に開口する略コの字形（Ｃ字形）の溝部を形成している。この溝部の内部および上方の空間は、電気や通信などに使用する配線ケーブルを収容可能な配線収容部Ｓ２となっている。配線収容部Ｓ２に収容される配線ケーブルは、例えば、隣接する他の什器１２などで使用される電子機器や通信機器などと接続されている。配線収容部Ｓ２の近傍に、第１端部部材２３および第２端部部材２４の端部貫通孔２３２ａが配置されている。
【００５８】
図２、図５および図７に示すように、支持脚４は、連結部材２５および配線収容部材３に固定される固定部４１と、床面１１に当接して配置される床面当接部（設置面当接部）４２と、を有している。
【００５９】
固定部４１は、角筒状の長尺に形成され、上下方向に延びる向きに配置されている。固定部４１には、上部側および下部側のそれぞれに前後方向に貫通し上下方向に延びる長孔４１１，４１２が形成されている。固定部４１の上部側に配置された長孔４１１を上側長孔４１１とし、下部側に配置された長孔４１２を下側長孔４１２とする。
固定部４１の上下方向の寸法は、床面１１から連結部材２５の突出片２５２までの高さ寸法（床面１１から第１端部部材２３および第２端部部材２４の上端部２３ｂ，２４ｂまでの高さ寸法）よりもやや小さく設定されている。
【００６０】
床面当接部４２は、長尺の平板状の部材で、固定部４１の下端部から後側に延びる向きに配置されている。床面当接部４２は、板面が水平面となり、下面が床面１１と当接するように構成されている。
支持脚４は、前後方向の向きを変えて、床面当接部４２が固定部４１の下端部から前側に延びる向きで使用することも可能となっている。このため、床面当接部４２における固定部４１と連結している端部を基端部４２１とし、固定部４１と離間する側の端部を先端部４２２とする。床面当接部４２の先端部４２２は、平面視形状が半円となるように形成されている。
本実施形態では、支持脚４には、固定部４１と床面当接部４２との接続部分に設けられて、固定部４１と床面当接部４２との接続部分を補強する補強部材４３が設けられている。
【００６１】
図５、図７乃至図９に示すように、このような支持脚４は、固定部４１が連結部材２５および配線収容部材３の前側に配置され、床面当接部４２が固定部４１から後側に延びる向きで連結部材２５および配線収容部材３に固定されている。床面当接部４２は、配線収容部材３および後側カバー部２１の下側を通って後側カバー部２１よりも後側に突出している。
【００６２】
固定部４１は、上側長孔４１１が連結部材２５の上側接続孔２５８と前後方向に重なるように第１前板部２５３の前側に配置され、上側長孔４１１および上側接続孔２５８に挿通されたネジなどの固定具４４によって連結部材２５に固定されている。
固定部４１は、下側長孔４１２が配線収容部材３の下側接続孔３６と前後方向に重なるように第２前板部３１の前側に配置され、下側長孔４１２および下側接続孔３６に挿通されたネジなどの固定具４５によって配線収容部材３に固定されている。
【００６３】
図１０に示すように、本実施形態では、支持脚４を床面当接部４２が固定部４１から前側に突出する向きで連結部材２５および配線収容部材３に固定可能に構成されている。このような場合も、向きを変えた支持脚４の固定部４１をネジなどの固定具４４，４５で連結部材２５および配線収容部材３に固定し、床面当接部４２を前側カバー部２２の下側を通して、前側カバー部２２よりも前側に突出した状態とする。
【００６４】
図１１に示すように、連結部材本体２５１に取り付けられるパネル固定部材５と、配線収容部材３に取り付けられるパネル固定部材５とは、同じ形状の部材で、互いに上下が逆向きとなるように取り付けられている。なお、図１１では、後側カバー部２１の表示を省略している。
図１２（ａ）では、連結部材本体２５１に取り付けられるパネル固定部材５を示し、図１２（ｂ）では、配線収容部材３に取り付けられるパネル固定部材５を示している。
図１２（ａ）および（ｂ）に示すように、パネル固定部材５は、脚部１４２（図１１参照）と固定される第１固定部５１と、第１固定部５１と接続され連結部材本体２５１または配線収容部材３に固定される第２固定部５２と、を有している。以下では、パネル固定部材５が連結部材本体２５１に取り付けられる向きであるものとする。
第１固定部５１は、断面形状がハット形となる部材で、上下方向に延びる向きに配置されている。第１固定部５１は、後側に配置される固定後板部５１１と、固定後板部５１１の左右方向の一方側の端部から前側に延びる第１固定側板部５１２と、固定後板部５１１の左右方向の他方側の端部から前側に延びる第２固定側板部５１３と、第１固定側板部５１２の前端部から左右方向の一方側に延びる第１固定前板部５１４と、第２固定側板部５１３の前端部から左右方向の他方側に延びる第２固定前板部５１５と、を有している。
【００６５】
固定後板部５１１は、板面が長方形となる平板状に形成され、板面が前後方向を向いている。
第１固定側板部５１２および第２固定側板部５１３は、板面が長方形となる平板状に形成され、板面が左右方向を向いている。第１固定側板部５１２および第２固定側板部５１３それぞれの下部側には、上下方向に延びて左右方向に貫通する長孔状の孔部５１２ａ，５１３ｂが形成されている。
第１固定前板部５１４および第２固定前板部５１５は、板面が長方形となる平板状に形成され、板面が前後方向を向いている。
このような第１固定部５１には、固定後板部５１１、第１固定側板部５１２および第２固定側板部５１３に囲まれたパネル固定用溝部５３が形成されている。パネル固定用溝部５３には、間仕切りパネル１４の脚部１４２が配置されるように構成されている。
【００６６】
第２固定部５２は、第１固定前板部５１４の上端部から前側に延びる第１固定片５２１と、第２固定前板部５１５の上端部から前側に延びる第２固定片５２２と、を有している。第１固定片５２１および第２固定片５２２は、それぞれ平板状に形成され、板面が水平面となっている。第１固定片５２１および第２固定片５２２には、上下方向に貫通する丸孔状の孔部５２１ａ，５２２ａが形成されている。
パネル固定部材５は、左右方向に対称となる形状に形成されている。
【００６７】
図１３に示すように、連結部材本体２５１に取り付けられるパネル固定部材５は、第２固定部５２が第１固定部５１の上側となる姿勢で、連結部材本体２５１の上側切欠き部２５１ａの下側に配置され、第１固定片５２１および第２固定片５２２の上面が連結部材本体２５１の第１底板部２５５の下面に下側から当接した状態でネジなどの固定具５４（図１２参照）で固定されている。
第１固定片５２１を第１底板部２５５に固定する固定具５４は、第１底板部２５５の孔部２５５ｃおよび第１固定片５２１の孔部５２１ａに挿通されている。第２固定片５２２を第１底板部２５５に固定する固定具５４は、第１底板部２５５の孔部２５５ｃおよび第２固定片５２２の孔部５２２ａに挿通されている。
【００６８】
連結部材本体２５１に取り付けられたパネル固定部材５は、前後方向の後部側が連結部材本体２５１の後端部にある第１後板部２５４よりも後側に突出している。固定後板部５１１は、第１後板部２５４よりも後側に配置されている。第１固定前板部５１４および第２固定前板部５１５は、第１後板部２５４より前側で、連結部材本体２５１の上側切欠き部２５１ａの前端部よりも後側に配置されている。第１固定側板部５１２は、後部側が第１後板部２５４よりも後側に配置され、前部側が上側切欠き部２５１ａの左右方向の一方側の端部の下側に配置されている。第２固定側板部５１３は、後部側が第１後板部２５４よりも後側に配置され、前部側が上側切欠き部２５１ａの左右方向の他方側の端部の下側に配置されている。
第１後板部２５４よりも後側に突出しているパネル固定部材５の前後方向の後部側は、図５に示す第１後板部２５４と後側カバー部２１の後カバー板部２１１との隙間２７に配置され、固定後板部５１１の後面５１１ａが後カバー板部２１１の前面と当接するように構成されている。
【００６９】
上側切欠き部２５１ａの内部、およびパネル固定部材５のパネル固定用溝部５３は上下方向に連続していて、それぞれに間仕切りパネル１４の脚部１４２を挿通可能に構成されている。
図１１に示すように、上側切欠き部２５１ａおよびパネル固定用溝部５３に挿通された間仕切りパネル１４の脚部１４２は、第１固定側板部５１２および第２固定側板部５１３とネジなどの固定具５５で固定されている。固定具５５は、第１固定側板部５１２および第２固定側板部５１３の孔部５１２ａ，５１３ａに挿通されている。
【００７０】
図１３に示すように、配線収容部材３に取り付けられるパネル固定部材５は、第２固定部５２が第１固定部５１の下側となる姿勢で、前後方向の前部側が配線収容部材３の下側切欠き部３ａに嵌め込まれ、第１固定片５２１および第２固定片５２２の下面が配線収容部材３の第２底板部３３の上面に上側から当接した状態でネジなどの固定具５４で固定されている。
第１固定片５２１を第２底板部３３に固定する固定具５４は、第２底板部３３の孔部３３ｃおよび第１固定片５２１の孔部５２１ａに挿通されている。第２固定片５２２を第２底板部３３に固定する固定具５４は、第２底板部３３の孔部３３ｃおよび第２固定片５２２の孔部５２２ａに挿通されている。
パネル固定部材５は、連結部材本体２５１に対しては上側切欠き部２５１ａの下側に連続するように取り付けられ、配線収容部材３に対しては下側切欠き部３ａに嵌め込まれた状態で取り付けられている。このため、下側切欠き部３ａは、上側切欠き部２５１ａよりも大きく形成されている。
【００７１】
配線収容部材３に取り付けられたパネル固定部材５は、前後方向の後部側が連結部材本体２５１の後端部にある第１後板部２５４よりも後側に突出している。固定後板部５１１は第１後板部２５４よりも後側に配置されている。第１固定前板部５１４および第２固定前板部５１５は、第１後板部２５４より前側で、配線収容部材３の下側切欠き部３ａの前端部よりも後側に配置されている。第１固定側板部５１２は、後部側が第１後板部２５４よりも後側に配置され、前部側が下側切欠き部３ａの左右方向の一方側の端部の上側に配置されている。第２固定側板部５１３は、後部側が第２後板部３２よりも後側に配置され、前部側が下側切欠き部３ａの左右方向の他方側の端部の上側に配置されている。
第２後板部３２よりも後側に突出しているパネル固定部材５の前後方向の後部側は、図５に示す第２後板部３２と後側カバー部２１の後カバー板部２１１との隙間２８に配置され、固定後板部５１１の後面５１１ａが後カバー板部２１１の前面と当接している。
【００７２】
下側切欠き部３ａの内部、およびパネル固定部材５のパネル固定用溝部５３は、重なるとともに上下方向に連続していて、それぞれに間仕切りパネル１４の脚部１４２を挿通可能に構成されている。
【００７３】
図６に示す後側カバー部２１の後上カバー板部２１２に形成された第１開口部２１７と、上側切欠き部２５１ａ、図１３に示す連結部材本体２５１に取り付けられたパネル固定部材５のパネル固定用溝部５３、下側切欠き部３ａ、および配線収容部材３に取り付けられたパネル固定部材５のパネル固定用溝部５３は、上下方向に重なる位置に配置されている。
図１１に示すように、間仕切りパネル１４は、脚部１４２を配線収容什器１の上方から、第１開口部２１７（図４参照）と、上側切欠き部２５１ａ、連結部材本体２５１に取り付けられたパネル固定部材５のパネル固定用溝部５３、下側切欠き部３ａ、および配線収容部材３に取り付けられたパネル固定部材５のパネル固定用溝部５３に挿通させて、パネル固定部材５と固定することで配線収容什器１に設置される。
【００７４】
間仕切りパネル１４の脚部１４２は、連結部材本体２５１および配線収容部材３それぞれに固定されたパネル固定部材５の第１固定側板部５１２および第２固定側板部５１３とネジなどの固定具５５で固定されている。脚部１４２には、左右方向に貫通し固定具５５が挿通可能な孔部が形成されている。固定具５５は、第１固定側板部５１２および第２固定側板部５１３の孔部５１２ａ，５１３ａおよび脚部１４２の孔部に挿通されている。
なお、間仕切りパネル１４を配線収容什器１に設置する場合は、第１開口部２１７を開閉可能な第１蓋部材２１７ａ（図１参照）を外した状態とする。
【００７５】
次に、上述した本実施形態による配線収容什器１の作用・効果について図面を用いて説明する。
本実施形態による配線収容什器１では、配線収容部Ｓ２（配線収容部材３）がカバー部２の内部の収容空間Ｓ１における後側に配置されている。これにより、配線収容部Ｓ２に配線ケーブルが収容された状態の配線収容什器１は、その重心が後側に偏った状態となるため、後側に転倒する虞がある。
これに対し、本実施形態による配線収容什器１では、支持脚４の固定部４１が配線収容部材３に前側から固定され、床面当接部４２が固定部４１から配線収容部Ｓ２よりも後側に突出する位置まで延びている。このため、配線収容什器１が後側に転倒しそうになっても、支持脚４が突っ張った状態となって、後側への転倒を防止することができる。
その結果、配線収容什器１を安定した状態に設置することができる。
【００７６】
特に、本実施形態による配線収容什器１では、間仕切りパネル１４を取り付け可能に構成されている。このため、配線収容什器１に上記のような支持脚４が設けられることにより、配線収容什器および間仕切りパネル１４をともに安定した状態に設置することができる。
【００７７】
また、本実施形態による配線収容什器１では、配線収容什器１を床面１１に設置すると、配線収容部材３（配線収容部Ｓ２）と床面１１との間に床面当接部４２を挿通可能な隙間が形成されるように構成されている。
これにより、支持脚４を設置する際に、床面当接部４２を配線収容部材３と床面１１との間に通して容易に設置することができるため、支持脚４の施工性を向上させることができる。
【００７８】
また、本実施形態による配線収容什器１では、床面当接部４２は、カバー部２よりも後側に突出していることにより、後側により転倒しにくい構造とすることができる。
【００７９】
また、本実施形態による配線収容什器１では、配線収容部材３には、固定部４１を固定するための固定具が挿通可能な下側接続孔３６が、左右方向に間隔をあけて複数形成され、連結部材２５には、固定部４１を固定するための固定具が挿通可能な上側接続孔２５８が、左右方向に間隔をあけて複数形成されている。
これにより、本実施形態による配線収容什器１は、支持脚４を配線収容部材３および連結部材２５に対して左右方向の所望の位置に固定することができる。
【００８０】
また、本実施形態による配線収容什器１では、支持脚４は、床面当接部４２が固定部４１から後側に延びるように向きを変えた状態で配線収容部材３に固定可能に構成されている。
これにより、配線収容部Ｓ２に収容される配線ケーブルの重量が軽かったり、配線収容什器１が他の什器１２や壁部に支えられていたりして配線収容什器１が後側に転倒する虞がない場合などに、レイアウトなどに応じて支持脚４の向きを所望の向きとすることができる。
【００８１】
また、本実施形態による配線収容什器１では、前側カバー部２２が取り外されると、配線収容部材３および連結部材２５が露出することにより、配線収容部材３および連結部材２５への支持脚４を着脱する際に、前側カバー部２２を取りして配線収容部材３および連結部材２５を露出させれば、配線収容部材３および連結部材２５への支持脚４の着脱を容易に行うことができる。
【００８２】
また、本実施形態による配線収容什器１では、収容空間Ｓ１における前側には、他の什器１２の脚部１２１を配置可能な他什器配置部Ｓ３が形成されている。
隣接する他の什器１２をその脚部１２１が他什器配置部Ｓ３配置されるように設置することにより、配線収容什器１と隣接する他の什器１２との一体感が増して意匠性を向上させることができるとともに、限られたスペースであっても他の什器１２とともに配線収容什器１を効率よく配置することができる。
【００８３】
以上、本発明による配線収容什器１の実施形態について説明したが、本発明は上記の実施形態に限定されるものではなく、その趣旨を逸脱しない範囲で適宜変更可能である。
例えば、上記の実施形態では、床面当接部４２は、カバー部２よりも後側に突出しているがカバー部２よりも後側に突出せずに、収容空間Ｓ１に配置されていてもよい。
【００８４】
また、上記の実施形態では、配線収容部材３には、固定部４１を固定するための固定具が挿通可能な下側接続孔３６が、左右方向に間隔をあけて複数形成され、連結部材２５には、固定部４１を固定するための固定具が挿通可能な上側接続孔２５８が、左右方向に間隔をあけて複数形成されている。
これに対し、固定部４１を配線収容部材３および連結部材２５に固定する構造は上記以外でもよく、固定部４１が配線収容部材３および連結部材２５に対して所定の位置のみにおいて固定されるように構成されていてもよい。
【００８５】
また、上記の実施形態では、支持脚４は、床面当接部４２が固定部４１から後側に延びるように向きを変えた状態で配線収容部材３に固定可能に構成されているが、支持脚４を取り付ける向きを変更できないように構成されていてもよい。
【００８６】
また、上記の実施形態では、カバー部２は、後側カバー部２１および前側カバー部２２を有する構成であるが、カバー部２の形態は上記以外であってもよく、後側カバー部２１と前側カバー部２２との間に他のカバー部が設けられていてもよい。また、後側カバー部２１および前側カバー部２２は、第１端部部材２３および第２端部部材２４に着脱可能に構成されていなくてもよい。
【００８７】
また、上記の実施形態では、収容空間Ｓ１における前側には、他の什器１２の脚部１２１を配置可能な他什器配置部Ｓ３が形成されているが、収容空間Ｓ１に他什器配置部Ｓ３が形成されていてもよい。
また、上記の実施形態では、配線収容什器１は、間仕切りパネル１４を取り付け可能に構成されているが、間仕切りパネル１４が取り付けられるように構成されていなくてもよい。
【符号の説明】
【００８８】
１  配線収容什器
２  カバー部
３  配線収容部材
４  支持脚
１１  床面（設置面）
１２  他の什器
２１  後側カバー部（第１カバー部）
２２  前側カバー部（第２カバー部）
３６  下側接続孔（支持脚取付部）
４１  固定部
４２  床面当接部（設置面当接部）
Ｓ１  収容空間
Ｓ２  配線収容部
Ｓ３  他什器配置部
【図１】
2019076216.tif 000003
【図２】
2019076216.tif 000004
【図３】
2019076216.tif 000005
【図４】
2019076216.tif 000006
【図５】
2019076216.tif 000007
【図６】
2019076216.tif 000008
【図７】
2019076216.tif 000009
【図８】
2019076216.tif 000010
【図９】
2019076216.tif 000011
【図１０】
2019076216.tif 000012
【図１１】
2019076216.tif 000013
【図１２】
2019076216.tif 000014
【図１３】
2019076216.tif 000015